(57)【特許請求の範囲】
【請求項１】
洗濯兼脱水槽と、この洗濯兼脱水槽を回転自在の配設した外槽と、この外槽を揺動自在に吊り下げ支持した防振手段と、前記外槽の揺動により動作する安全装置と、前記外槽の上方開口端に設けられ前記上方開口端と前記洗濯兼脱水槽の上方端部との隙間を覆う環状のカバー体とを備え、前記外槽またはカバー体のいずれか一方は、前記安全装置のタッチヘッドレバーとの水平方向で当たる当たり部を有し、前記当たり部は、前記外槽またはカバー体のいずれか一方の外周面に突設した支持部に上下方向に幅広い当接部を略直交して設けることにより略Ｌ字状にまたは略Ｔ字状になるように構成した脱水兼用洗濯機。
【発明の詳細な説明】
【０００１】
【発明の属する技術分野】
本発明は、洗濯兼脱水槽を収容した外槽の揺動により動作する安全装置を備えた脱水兼用洗濯機に関する。
【０００２】
【従来の技術】
従来、この種の脱水兼用洗濯機は図６に示すように構成していた。以下、その構成について説明する。
【０００３】
図に示すように、洗濯機本体１は、四隅からサスペンション（防振手段）２を介して外槽３を防振支持し、この外槽３の内部に洗濯兼脱水槽４を回転自在に配設している。外槽３の下部にモータ５とベルトで連結した減速機６を固着し、減速機６の軸に洗濯兼脱水槽４をフランジを介して固定している。モータ５の回転をベルトおよび減速機６を介して洗濯兼脱水槽４に伝達し、洗濯兼脱水槽４を回転させる。
【０００４】
外槽３の上方の一部に水平に突出した薄肉のリブ７を設けるとともに、洗濯機本体１の上方に安全装置８を固定し、この安全装置８にタッチヘッドレバー９を連結し、洗濯兼脱水槽４の回転時に、その内部の布の片寄りのために外槽３が一定以上の大きな揺動が発生すると、タッチヘッドレバー９にリブ７が当たり、安全装置８を作動させ、洗濯兼脱水槽２の回転を強制停止させるしくみとなっている。
【０００５】
上記構成において作用を説明すると、脱水時に洗濯兼脱水槽４が回転する際、洗濯兼脱水槽４の内部にある布（負荷）が大きく片寄れば、外槽３全体が大きく揺動する。このとき、揺動が一定の大きさを越えると、外槽１に設けたリブ７がタッチヘッドレバー９に当たり、安全装置８が動作し、洗濯兼脱水槽４の回転を強制停止させる。
【０００６】
【発明が解決しようとする課題】
このような従来の構成では、リブ７のタッチヘッドレバー９への当たる位置は、洗濯兼脱水槽４内の布（負荷）の重量により、外槽３の洗濯機本体１との上下方向の位置関係が変化するため一定箇所ではなく、またリブ７のタッチヘッドレバー９への当たる角度も、外槽３の洗濯機本体１に対する傾きが生じた場合水平ではない。
【０００７】
外槽３に設けたタッチヘッドレバー９への当たり部が薄肉のリブ７のような直線形状であるため、図７（ａ）に示すように、洗濯兼脱水槽４内の布（負荷）の重量により、外槽３の洗濯機本体１との上下方向の位置が実線で示す状態から点線または一点鎖線で示す状態に変化した場合、一点鎖線の状態では、外槽３が一定の大きさ以上に揺動しても、リブ７がタッチヘッドレバー９の下方に潜り込み、リブ７がタッチヘッドレバー９へ当たらず、安全装置８を動作させることができないという問題を有していた。
【０００８】
また、図７（ｂ）または（ｃ）に示すように、洗濯兼脱水槽４内の布（負荷）の片寄りにより、外槽３の洗濯機本体１に対する傾きが生じ、さらに、布（負荷）の重量により、上下方向の位置が実線で示す状態から一点鎖線で示す状態に変化した場合にも、リブ７がタッチヘッドレバー９へ当たらず、安全装置８を動作させることができないという問題を有していた。
【０００９】
また、リブ７は薄肉で直線形状であるため、機械的強度が弱く、リブ７がタッチヘッドレバー９に当たった際の衝撃により変形ないし破壊が生じ、必要時に確実に安全装置８を動作させることができないという問題を有していた。
【００１０】
本発明は上記課題を解決するもので、外槽の位置および傾きに関係なく、確実に外槽の当たり部をタッチヘッドレバーに当てるようにし、タッチヘッドレバーへの当たり時の衝撃による当たり部の変形または破壊をなくすことを目的としている。
【００１１】
【課題を解決するための手段】
本発明の脱水兼用洗濯機においては、上方開口端を覆う環状のカバー体を有する外槽内に洗濯兼脱水槽を回転自在の配設し、この外槽を防振手段により揺動自在に吊り下げ支持し、外槽の揺動により動作する安全装置を備え、外槽またはカバー体のいずれか一方は、安全装置のタッチヘッドレバーとの水平方向で当たる当たり部を有し、この当たり部は、外槽またはカバー体のいずれか一方の外周面に突設した支持部に上下方向に幅広い当接部を略直交して設けることにより略Ｌ字状にまたは略Ｔ字状になるように構成したものである。
【００１２】
これにより、外槽の位置および傾きに関係なく、外槽の当たり部がタッチヘッドレバー下方へ潜り込みのを防止することができて、確実に当たり部をタッチヘッドレバーに当てるようにでき、また、当たり部の機械的強度を強くすることができて当たり部の変形または破壊をなくすることができ、外槽の大きな揺動時には確実に当たり部をタッチヘッドレバーに当てることができる。
【００１３】
【発明の実施の形態】
本発明の請求項１に記載の発明は、洗濯兼脱水槽と、この洗濯兼脱水槽を回転自在の配設した外槽と、この外槽を揺動自在に吊り下げ支持した防振手段と、前記外槽の揺動により動作する安全装置と、前記外槽の上方開口端に設けられ前記上方開口端と前記洗濯兼脱水槽の上方端部との隙間を覆う環状のカバー体とを備え、前記外槽またはカバー体のいずれか一方は、前記安全装置のタッチヘッドレバーとの水平方向で当たる当たり部を有し、前記当たり部は、前記外槽またはカバー体のいずれか一方の外周面に突設した支持部に上下方向に幅広い当接部を略直交して設けることにより略Ｌ字状にまたは略Ｔ字状になるように構成したものであり、洗濯兼脱水槽の回転時に洗濯兼脱水槽内の布の片寄りによって外槽が大きく揺動したときに、当たり部が外槽の位置および傾きに関係なく、確実にタッチヘッドレバーに当たり、安全装置を動作させることができ、また、当たり部の機械的強度を強くできて、変形、破壊することなく、確実にタッチヘッドレバーに当たり、安全装置を動作させることができるとともに、当たり部を容易に形成することができ、当たり部の成形性を高めることができる。
【００１４】
【実施例】
以下、本発明の実施例について、図面を参照しながら説明する。なお、従来例と同じ構成のものは同一符号を付して説明を省略する。
【００１５】
（実施例１）
図１に示すように、外槽３は、その上方開口端に洗濯兼脱水槽４の上方端部との隙間を覆うカバー体１０を有し、このカバー体１０は環状で、縦断面形状が略逆Ｌ字状に形成している。このカバー体１０の外周面に安全装置８のタッチヘッドレバー９との水平方向での当たり部１１を設けている。
【００１６】
この当たり部１１は、図２に示すように、カバー体１０の外周面に突設した支持部１２に上下方向に幅広い当接部１３を略直交して略Ｌ字状に設け、上下方向に幅広い構成としている。また、図３に示すように、当たり部１１の支持部１２と当接部１３との間に複数個の補強リブ１４を設けている。他の構成は従来例と同じである。
【００１７】
上記構成において作用を説明すると、脱水時に洗濯兼脱水槽４が回転する際、洗濯兼脱水槽４の内部にある布が大きく片寄れば、外槽３全体が大きく揺動する。このとき、揺動が一定の大きさを越えると、当たり部１１がタッチヘッドレバー９に当たり、安全装置８が動作することにより洗濯兼脱水槽４の回転を強制停止させるしくみになっている。
【００１８】
当たり部１１のタッチヘッドレバー９への当たる位置は、洗濯兼脱水槽４内の布（負荷）の重量により、外槽３の洗濯機本体１との上下方向の位置関係が変化するため一定箇所ではなく、当たり部１１のタッチヘッドレバー９への当たる角度も、外槽３の洗濯機本体１に対する傾きが生じた場合は水平ではない。
【００１９】
ここで、当たり部１１は上下方向に幅広い構成としているため、図４（ａ）に示すように、洗濯兼脱水槽４内の布（負荷）の重量により、外槽３の洗濯機本体１との上下方向の位置が実線で示す状態から点線または一点鎖線で示す状態に変化しても、当たり部１１はタッチヘッドレバー９へ確実に当たり、安全装置８を動作させることができる。
【００２０】
また、図４（ｂ）または（ｃ）に示すように、洗濯兼脱水槽４内の布（負荷）の片寄りにより、外槽３の洗濯機本体１に対する傾きが生じ、さらに、布（負荷）の重量により、上下方向の位置が実線で示す状態から一点鎖線で示す状態に変化しても、当たり部１１はタッチヘッドレバー９へ確実に当たり、安全装置８を動作させることができる。
【００２１】
このように、洗濯兼脱水槽４の回転時に洗濯兼脱水槽４内の布の片寄りによって外槽３が大きく揺動したときに、当たり部１１が外槽３の位置および傾きに関係なく、確実にタッチヘッドレバー９に当たり、安全装置８を動作させることができる。
【００２２】
また、当たり部１１は、カバー体１０の外周面に突設した支持部１２に上下方向に幅広い当接部１３を直交して略Ｌ字状に設け、支持部１２と当接部１３との間に複数個の補強リブ１４を設けているため、タッチヘッドレバー９に当たったとき、変形、破壊することなく、確実にタッチヘッドレバー９に当たり、安全装置８を動作させることができ、また、洗濯兼脱水槽４の回転時に、当たり部１１の支持部１２上に水が付着した場合に補強リブ１４によりせき止められることなく当たり部１１の両端部より排出することができる。
【００２３】
さらに、当たり部１１は、外槽３の外周面に突設した支持部１２に上下方向に幅広い当接部１３を直交して設けているため、肉厚を均一にすることができるため、当たり部１１の表面のひけおよび全体の変形を防止できて、成形性を高めることができる。また、当たり部１１をカバー体１０に設けることにより、当たり部１１の金型加工が簡単で、さらに当たり部１１の成形性を向上することができる。
【００２４】
なお、上記実施例では、当たり部１１は、カバー体１０の外周面に突設した支持部１２の下端に上下方向に幅広い当接部１３を直交して略Ｌ字状に設けているが、支持部１２の上端に上下方向に幅広い当接部１３を略直交して略逆Ｌ字状に設けてもよく、当接部１３の形状は、直線だけでなく、湾曲または屈曲していてもよい。また、支持部１２に当接部１３のほぼ中央を直交して略Ｔ字状に設けてもよい。さらに、当たり部１１を外槽３に直接設けてもよい。
【００２５】
（実施例２）
図５に示すように、カバー体１５は、外槽３の上方開口端に洗濯兼脱水槽４の上方端部との隙間を覆うもので、縦断面形状が略逆Ｕ字状になっており、このカバー体１５の外周面に安全装置８のタッチヘッドレバー９との水平方向での当たり部１１を設けている。他の構成は上記実施例１と同じである。
【００２６】
上記構成において作用を説明すると、カバー体１５の縦断面形状が略Ｕ字状になっていることから、外槽３の上面と洗濯兼脱水槽４の上面との上下方向の位置関係に左右されることなく隙間を覆うことができ、また、カバー体１５の外周面に設けた当たり部１１の縦断面形状が略Ｌ字状をなすことにより、カバー体１５自体の縦断面形状が複雑となり、カバー体１５の剛性を高めることができ、さらに、カバー体１５の成形性を向上することができる。
【００２７】
【発明の効果】
以上のように本発明の請求項１に記載の発明によれば、洗濯兼脱水槽と、この洗濯兼脱水槽を回転自在の配設した外槽と、この外槽を揺動自在に吊り下げ支持した防振手段と、前記外槽の揺動により動作する安全装置と、前記外槽の上方開口端に設けられ前記上方開口端と前記洗濯兼脱水槽の上方端部との隙間を覆う環状のカバー体とを備え、前記外槽またはカバー体のいずれか一方は、前記安全装置のタッチヘッドレバーとの水平方向で当たる当たり部を有し、前記当たり部は、前記外槽またはカバー体のいずれか一方の外周面に突設した支持部に上下方向に幅広い当接部を略直交して設けることにより略Ｌ字状にまたは略Ｔ字状になるように構成したから、洗濯兼脱水槽の回転時に洗濯兼脱水槽内の布の片寄りによって外槽が大きく揺動したとき、当たり部が外槽の位置および傾きに関係なく、確実にタッチヘッドレバーに当たり、安全装置を動作させることができ、また、当たり部の機械的強度を強くすることができて、タッチヘッドレバーへの当たり時の衝撃により変形、破壊することがなく、確実にタッチヘッドレバーに当たり、安全装置を動作させることができるとともに、当たり部を樹脂成形する場合、厚肉部を必要としないため、成形性を向上することができ、上下方向の幅広さも成形上不可能になるまで広げることができる。また、肉厚を均一化することにより、当たり部のひけおよび変形を低減することができ、精度のよい当たり部の形状を確保することができる。
【図面の簡単な説明】
【図１】  本発明の第１の実施例の脱水兼洗濯機の断面図
【図２】  同脱水兼用洗濯機の要部拡大断面図
【図３】  同脱水兼用洗濯機の要部拡大上面図
【図４】  同脱水兼用洗濯機の当たり部とタッチヘッドレバーの位置関係を示す説明図
【図５】  本発明の第２の実施例の脱水兼洗濯機の要部断面図
【図６】  従来の脱水兼洗濯機の要部断面図
【図７】  同脱水兼用洗濯機のリブとタッチヘッドレバーの位置関係を示す説明図
【符号の説明】
２  サスペンション（防振手段）
３  外槽
４  洗濯兼脱水槽
８  安全装置
９  タッチヘッドレバー
１１  当たり部
【図１】
0003726338.tif 000002
【図２】
0003726338.tif 000003
【図３】
0003726338.tif 000004
【図４】
0003726338.tif 000005
【図５】
0003726338.tif 000006
【図６】
0003726338.tif 000007
【図７】
0003726338.tif 000008